(57)【特許請求の範囲】
【請求項１】
クッション性を有する帯状の発泡シートからなる基材の一方の面に粘着面が形成された粘着テープを、上記粘着面が表側を向くように巻き芯に沿って多重に巻回してなる粘着テープロールにおいて、
上記粘着面は上記基材に対して幅方向の両端から中央に向かうにつれて肉厚が増すように形成されており、上記粘着テープの巻き径（外径）が両端から中央に向かうにつれて大径となるように巻回されていることを特徴とする粘着テープロール。
【請求項２】
上記基材は、連続気泡体を多数有する発泡シートからなる請求項１に記載の粘着テープロール。
【発明の詳細な説明】
【０００１】
【発明の属する技術分野】
本発明は、粘着面を表側して巻回してなる清掃用の粘着テープロールに関し、さらに詳しく言えば、網戸などの変形しやすい被清掃面を清掃するのに好適な粘着テープロールに関する。
【０００２】
【従来の技術】
例えば、絨毯（カーペット）などに絡みついた毛屑や埃などのゴミは、掃除機などで吸引してもなかなか取れにくい。このような場合、粘着テープロールは便利である。図４に清掃用の粘着テープロールの一例を示す。
【０００３】
この粘着テープロール１は、帯状の基材２１の一方が粘着面２２とされた粘着テープ２をその粘着面２２が表側に向くように巻き芯３に沿って渦巻状に多重に巻回した円筒ロール体であり、床などの被清掃面４上で粘着面２２を転がすことにより、被清掃面４上の埃やゴミなどを粘着面で捕捉することができる。基材２１の他方の面には、補強性と剥離性を上げるための樹脂シート２３が貼着されている。
【０００４】
とりわけ最近では、清掃用の粘着テープロールは単なるカーペット用だけでなく、フローリング床や畳などの各種被清掃面に応じて様々な性状のものが提供されており、その１つに基材２１に発泡樹脂シートを使ったものがある。
【０００５】
基材２１に発泡樹脂シートを用いることにより、粘着テープ２自体に適度なクッション性が生まれ、これを巻いた粘着テープロール１は、例えばソファーや車のシート、網戸など比較的変形しやすい被清掃面２１に対して粘着面２２を押し付けて転がすことにより、粘着面２２を被清掃面２１に沿ってフィットさせて確実にゴミを補足することができるようになっている。
【０００６】
【発明が解決しようとする課題】
しかしながら、クッション性を有する粘着テープ２を用いた場合、次のような問題が発生した。すなわち、図４に誇張して示すとおり、巻き芯３に多重に巻回された粘着テープ２は、両端の切断面において粘着テープ２同士の結合力が弱く、また発泡体自体が端面で元の厚さに戻ろうとする応力（復元応力）が強くなるため、中央に比べて両端側が拡径し、いわゆる糸巻き（ボビン）状になってしまった。
【０００７】
したがって、被清掃面４に対向する粘着面２１が凹曲面になるため、被清掃面４に対して押し付けた場合、極端に言えば、両端側のみが被清掃面４に接触し、最も清掃効率のよい中央部には空隙が形成されてしまった。そのため結果的には、粘着テープ２の両端側だけが黒ずみ、中央部付近はきれいなままという状態が間々あった。特に網戸に使用した場合、その現象は顕著に現れる。
【０００８】
とりわけ、この種の発泡粘着テープの多くは、独立気泡を多数有する発泡シート基材を用いており、基材自体の補形性や復元性が高いために、端部の拡径がより顕著に現れやすかった。
【０００９】
したがって、本発明の課題は、網戸などの変形しやすい被清掃面においても粘着面全体を効率的に使用できる粘着テープロールを提供することにある。
【００１０】
【課題を解決するための手段】
上述した課題を解決するため、本発明は、クッション性を有する帯状の発泡シートからなる基材の一方の面に粘着面が形成された粘着テープを、上記粘着面が表側を向くように巻き芯に沿って多重に巻回してなる粘着テープロールにおいて、上記粘着面は上記基材に対して幅方向の両端から中央に向かうにつれて肉厚が増すように形成されており、上記粘着テープの巻き径（外径）が両端から中央に向かうにつれて大径となるように巻回されていることを特徴としている。
【００１１】
これによれば、粘着テープロール全体がロール端部から中央にかけて張り出した、いわゆる太鼓状となり、粘着面が凸曲面となることにより、被清掃面に押し付けると、粘着面が中央から両端側に向けて被清掃面に接触して、埃を確実に補足することができる。とりわけ網戸などの変形しやすい被清掃面に対して効果的である。
【００１２】
上記基材は、連続気泡を多数有する発泡シートからなることがより好ましい。これによれば、連続気泡特有の柔軟性（復元性）により、クッション性を維持しつつも、独立気泡体よりも単位巻き径当たりの巻き数を多く設定することができる。
【００１３】
【発明の実施の形態】
次に、本発明の実施形態について図面を参照しながら説明する。図１には、本発明の一実施形態に係る粘着テープロール１０の（ａ）正面図および（ｂ）側面図が示されており、図２には粘着テープ２の断面図が示されている。
【００１４】
この粘着テープロール１０は、所定幅の帯状シートからなる基材２１の一方の面に粘着面２２を有する粘着テープ２を、その粘着面２１が外側となるように中空の巻き芯３に沿って渦巻状に多重に巻回してなり、粘着テープ２の巻き径（外径）が両端から中央に向かうにつれて大径となるように巻回されている。
【００１５】
粘着テープ２には、図示しない切れ目が所定間隔で複数形成されており、使用済みの汚れた粘着面２１を切り離すことで、新たな粘着面２１が表面に露呈するようになっている。本発明において、切れ目の構造、形状および位置は特に制限なく、あくまで任意的な構成要素である。
【００１６】
図２に示すように、基材２１は例えばポリエチレンなどの合成樹脂を所定の発泡率にて発泡処理した発泡樹脂シートが用いられており、シート内部には、多数の気泡体が混在している。基材２１の他方の面には、基材２１の補強片と粘着面２２に対する剥離紙として機能する樹脂シート２３が一体的に設けられている。
【００１７】
発泡気泡体には、大別して連続気泡体と独立気泡体とがあるが、本発明においては連続気泡体の方がより好ましい。すなわち、連続気泡体を採用することにより、基材２１にはクッション性に加えて柔軟性が生まれるため、仮に巻き径を同一とした場合に独立気泡に比べて連続気泡の方が巻き数が多く設定できる。さらには、復元率（圧縮量に対する復元量の比）も９８％以上であり、最外層でのクッション性も衰えない。
【００１８】
粘着面２２は、例えばアクリル系もしくは合成ゴム系の粘着剤が用いられており、基材２１の幅方向の両端から中央部にかけて、その厚み（肉厚）が徐々に増加するように凸曲面状に設けられている。
【００１９】
この実施形態において、粘着面２２は基材２１に対して必ずしも全面に塗布される必要はなく、筋状や格子状もしくは島状などに塗布されたものであってもよい。筋状や格子状に形成する場合、粘着剤は幅方向の断面が上述した凸曲面となっていればよい。島状にした場合は、両端から中央にかけての各粘着剤の肉盛り量を徐々に増加すればよく、各粘着剤の頂点を結ぶ接線が凸曲面状になっていればよい。
【００２０】
また、仮に基材２１に紙や発泡化していない樹脂シートを使用したとしても、粘着剤自体を発泡化させることにより、上述した凸曲面と弾性（クッション性）の両特性を得ることも可能である。この場合、粘着剤内に熱などによって発泡する発泡剤を混ぜ込み、凹曲面に形成された金型を粘着面に被せた後、粘着剤内部の発泡剤を発泡させることによって、凸曲面が得られる。
【００２１】
図３に示すように、この粘着テープ２を巻き芯３に沿って巻き取っていけば、粘着テープ２の断面形状に沿ってロール端部よりもロール中央が盛り上がって巻き取られ、いわゆる太鼓状に形成された粘着テープロール１０が得られる。
【００２２】
この太鼓状に形成された粘着テープロール１０は、例えば網戸などの被清掃面４に押し付けて使用することにより、まず最も集塵効率の高い中央部から被清掃面４に接触し、次いで両側に向かって接触面積が増加していくことで、確実に集塵効率を高めることができる。とりわけ、網戸や車のシートなどの被清掃面４自体が変形しやすい場所に好適である。
【００２３】
なお、上記実施形態では、被清掃面４は、網戸や車のシートなどが最もその効果を発揮するものとして列挙したが、これ以外に通常のカーペットや畳あるいはフローリング床などの任意の被清掃面４に本発明の粘着テープロールを使用してもよい。
【００２４】
【発明の効果】
以上説明したように、本発明によれば、粘着テープロールを巻き芯の軸線を中心として、粘着テープの巻き径が両端から中央に向かうにつれて大径となるように形成したことにより、被清掃面に対する粘着テープの接触面（粘着面）が凸曲面となり、中央部から接触が開始されるため、網戸などの変形しやすい被清掃面に使用した場合でも確実に集塵することができる。
【図面の簡単な説明】
【図１】本発明の一実施形態に係る粘着テープロールの（ａ）正面図および（ｂ）側面図。
【図２】上記実施形態の粘着テープの断面図。
【図３】上記実施形態の粘着テープロールの断面図。
【図４】従来の粘着テープロールの断面図。
【符号の説明】
１，１０，１００  粘着テープロール
２、２０  粘着テープ
２１  基材
２２  粘着面
２３  樹脂シート
３、３０  巻き芯
【図１】
0004095792.tif 000002
【図２】
0004095792.tif 000003
【図３】
0004095792.tif 000004
【図４】
0004095792.tif 000005